(57)【要約】【課題】  鋼帯の縦型連続焼鈍設備に設けられる水切り装置であって、冷却水の垂れ水をなくして鋼帯幅方向の温度ムラの発生を防止し、鋼板形状品質の向上を図ることができる水切り装置を提供する。【解決手段】  鋼帯の縦型連続焼鈍設備に設けられる水切り装置であって、鋼帯１０に沿わせてセットし、このスプレーヘッダ１に鋼帯１０に対して上向きかつ外側に向け水を噴射するスプレーノズル２を複数個設けるとともに、スプレーヘッダ中央部に位置するスプレーノズル２のピッチを他の部分に位置するスプレーノズル２のピッチよりも細かくした。なお、前記スプレーノズル２の上向き角度（β）を２０〜７０度の範囲、スプレーヘッダ１を逆Ｖ字状のものとしてスプレーヘッダの外側への傾斜角度（α）を１０〜６０度の範囲とすることも好ましい。【選択図】      図２
2005089772.tif 000002
【特許請求の範囲】
【請求項１】
鋼帯の縦型連続焼鈍設備に設けられる水切り装置であって、上向きに湾曲した管状のスプレーヘッダを鋼帯に沿わせてセットし、このスプレーヘッダに鋼帯に対して上向きかつ外側に向け水を噴射するスプレーノズルを複数個設けるとともに、スプレーヘッダ中央部に位置するスプレーノズルのピッチを他の部分に位置するスプレーノズルのピッチよりも細かくしたことを特徴とする水切り装置。
【請求項２】
スプレーノズルの上向き角度（β）を２０〜７０度の範囲とした請求項１に記載の水切り装置。
【請求項３】
スプレーヘッダを逆Ｖ字状のものとして、スプレーヘッダの外側への傾斜角度（α）を１０〜６０度の範囲とした請求項１または２に記載の水切り装置。
【請求項４】
スプレーヘッダ中央部に位置するスプレーノズルのピッチを、他の部分に位置するスプレーノズルのピッチの５０％以下とした請求項１または２または３に記載の水切り装置。
【発明の詳細な説明】
【技術分野】
【０００１】
本発明は、鋼帯の縦型連続焼鈍設備に設けられる水切り装置であって、冷却水等の垂れ水をなくして鋼帯幅方向の温度ムラの発生を防止し、鋼板形状品質の向上を図ることができる水切り装置に関するものである。
【背景技術】
【０００２】
従来から、鋼帯の連続焼鈍処理や連続亜鉛メッキ処理等の連続熱処理設備において、鋼帯を冷却する手段として液体スプレーや気液スプレーを用いることが広く知られている。また、水平に搬送される鋼帯の温度ムラの発生を防止する目的で鋼帯上の冷却水を除去するための水切り装置を設けることも公知である（例えば、特許文献１を参照）。
【０００３】
一方、鋼帯の縦型連続焼鈍設備においては、冷却水量が高くなると垂れ水が多くなり、それがボトムロールと鋼帯の間隙に入って鋼帯幅方向の温度ムラの発生をさせ、形状不良の要因になっていた。そのため、鋼帯の縦型連続焼鈍設備では、図６に示されるように、鋼帯冷却用の気液スプレー２１の下部に水切り装置を設けたものが提案されている。この水切り装置は、鋼帯１０に沿わせて管状のスプレーヘッダ２０をセットし、このスプレーヘッダに等間隔に設けたスプレーノズル２２より鋼帯に向け水を噴射して、前記冷却水を除去するものである。
【０００４】
しかしながら、図６の装置の場合には、垂れ水と水切りスプレー水の勢いが均衡しているときの水切り性は問題ないが、両者のバランスがとれないときは水切りスプレー水が鋼帯１０の表面に沿って上方へ吹き上がり、勢いがなくなると自らが垂れ水となって水切り性を悪化させるという現象があった。また、縦型連続焼鈍設備の場合は、図７に示されるように、鋼帯１０にＣ反りが発生し水切りスプレー水Ｗが凹面側中央部に集まりやすく、この中央部の垂れ水を完全に除去することが困難であるという現象もあった。この結果、鋼帯幅方向の温度ムラの発生をさせて、形状不良を引き起こすという問題点があった。
【特許文献１】特開平８−１９８１３号公報
【発明の開示】
【発明が解決しようとする課題】
【０００５】
本発明が解決しようとする問題点は、鋼帯の縦型連続焼鈍設備に設けられる水切り装置であって、冷却水や水切りスプレー水の垂れ水をなくして鋼帯幅方向の温度ムラの発生を防止し、鋼板形状品質の向上を図ることである。
【課題を解決するための手段】
【０００６】
上記の課題を解決するためになされた本発明の水切り装置は、鋼帯の縦型連続焼鈍設備に設けられる水切り装置であって、上向きに湾曲した管状のスプレーヘッダを鋼帯に沿わせてセットし、このスプレーヘッダに鋼帯に対して上向きかつ外側に向け水を噴射するスプレーノズルを複数個設けるとともに、スプレーヘッダ中央部に位置するスプレーノズルのピッチを他の部分に位置するスプレーノズルのピッチよりも細かくしたことを特徴とする。
【発明の効果】
【０００７】
本発明では、スプレーヘッダに鋼帯に対して上向きかつ外側に向け水を噴射するスプレーノズルを複数個設けてあるので、冷却水や水切りスプレー水の垂れ水が鋼帯から遠ざかるように外側方向へ排除されることとなり、安定した水切りが達成できる。また、スプレーヘッダ中央部に位置するスプレーノズルのピッチを他の部分に位置するスプレーノズルのピッチよりも細かくしてあるので、鋼帯にＣ反りが生じ中央部に垂れ水が集中しても、この中央部の垂れ水を完全に除去することが可能となる。
【発明を実施するための最良の形態】
【０００８】
以下に、図面を参照しつつ本発明の好ましい形態を示す。
【０００９】
図１は鋼帯の縦型連続焼鈍設備における冷却部の要部を示す全体側面図であり、図２は本発明の水切り装置を示す正面図、図３はその側面図、図４はスプレーヘッダの要部の正面図である。また図において、１は水切り装置を構成するパイプ状のスプレーヘッダ、２はスプレーノズル、３は鋼帯冷却用の気液スプレー、４はボトムロール、１０は鋼帯である。なお、本発明の水切り装置は鋼帯冷却用の気液スプレー３の下方部に設置されるものである。
【００１０】
そして本発明では、上向きに湾曲した管状のスプレーヘッダ１を鋼帯１０に沿わせてセットし、このスプレーヘッダ１に鋼帯１０に対して上向きかつ外側に向け水を噴射するスプレーノズル２を複数個設けるとともに、スプレーヘッダ中央部に位置するスプレーノズル２のピッチを他の部分に位置するスプレーノズルのピッチよりも細かくしたものとなっている。
【００１１】
即ち、本発明ではスプレーヘッダ１が上向きに湾曲した管状のものである。具体的には、図２に示すように、逆Ｖ字状のもので中央頂部がＲ形状となっているが、その他、逆Ｕ字状のものや円弧状のものでもよい。そして、このスプレーヘッダ１には鋼帯１０に対して上向きかつ外側に向け水を噴射するスプレーノズル２が複数個、均等なピッチで設けられている。これにより、スプレーノズル２から噴射した水切りスプレー水が垂れ水に下から衝突し、垂れ水を鋼帯１０から遠ざかるように、かつ外側方向へ排除することとなり、安定した水切りを達成してボトムロール４へ水が垂れるのを確実に防止できることとなる。
【００１２】
なお、図３に示されるように、前記スプレーノズル２の上向き角度（β）は、２０〜７０度の範囲とすることが好ましい。２０度未満では垂れ水を鋼帯１０から遠ざかるように排除することが難しく、７０度より大きいと水切りスプレー水自身が鋼帯上を滑って上昇し自己落下水となって垂れるおそれがあるからである。
【００１３】
また、図２に示されるように、Ｃを逆Ｖ字状のものとした場合は、スプレーヘッダ１の外側への傾斜角度（α）は、１０〜６０度の範囲ととすることが好ましい。１０度未満では垂れ水を鋼帯１０の外側方向へ排除することことが難しく、６０度より大きいとスプレーヘッダ１の高さが高くなって設置スペースが大きくなり取り付けに制限を課せられるという不都合があり、また垂れ水を鋼帯１０から遠ざかるように排除することも難しくなるからである。
【００１４】
更に本発明では、図４〜図５に示されるように、Ｒ形状となっているスプレーヘッダ中央部に位置するスプレーノズル２のピッチ（Ｐ１）を、他の部分に位置するスプレーノズル２のピッチ（Ｐ２）よりも細かくしたものとなっている。これにより、鋼帯１０にＣ反りが生じ中央部に垂れ水が集中した場合も、ピッチの細かいスプレーノズル２によって多量の水切りスプレー水を噴射することで、この中央部の垂れ水を完全に除去することができることとなる。具体的には、ピッチ（Ｐ１）をピッチ（Ｐ２）の５０％以下とすることが好ましい。５０％より大きいと、中央部における水切りスプレー水が不十分で、中央部の垂れ水を完全に除去することが難しくなるからである。
【実施例】
【００１５】
図２に示されるような水切り装置を用いて鋼帯の水切りを実施した。スプレーヘッダおよびスプレーノズルの設計条件は以下のとおりである。
スプレーヘッダの傾斜角度（α）：３０度
スプレーノズルの傾斜角度（β）：４５度
ノズルピッチ（Ｐ１）：２０ｍｍ
ノズルピッチ（Ｐ２）：５０ｍｍ
スプレーヘッダの圧力：０．４ＭＰａ
この結果、垂れ水量は図６に示す従来タイプのものが１０００Ｌ／ｍｉｎであったのに対して本発明では１００Ｌ／ｍｉｎとなり、鋼帯の幅方向の温度ムラも従来タイプのものが約５０℃であったのに対して本発明では約１０℃と小さくなり、鋼板形状が向上したことが確認できた。
【図面の簡単な説明】
【００１６】
【図１】縦型連続焼鈍設備の要部を示す全体側面図である。
【図２】本発明の実施の形態を示す正面図である。
【図３】本発明の実施の形態を示す側面図である。
【図４】スプレーヘッダの要部を示す正面図正面図である。
【図５】その他の実施の形態を示す正面図である。
【図６】従来例を示す正面図である。
【図７】従来例を示す平面図である。
【符号の説明】
【００１７】
１  スプレーヘッダ
２  スプレーノズル
３  鋼帯冷却用の気液スプレー
４  ボトムロール
１０  鋼帯
【図１】
2005089772.tif 000003
【図２】
2005089772.tif 000004
【図３】
2005089772.tif 000005
【図４】
2005089772.tif 000006
【図５】
2005089772.tif 000007
【図６】
2005089772.tif 000008
【図７】
2005089772.tif 000009